(57)【要約】【課題】操作者の特別な知識によらずに撮像条件を適切に設定することができる磁気共鳴イメージング装置を提供すること。【解決手段】実施形態に係る磁気共鳴イメージング装置は、受付部と、調整部とを備える。受付部は、被検体の息止め可能時間を受け付ける。調整部は、前記受付部によって受け付けられた息止め可能時間に応じて、前記被検体を撮像する際の撮像条件に含まれる撮像パラメータのパラメータ値を調整する。【選択図】図１
2014042565.tif 000002
【特許請求の範囲】
【請求項１】
被検体の息止め可能時間を受け付ける受付部と、
前記受付部によって受け付けられた息止め可能時間に応じて、前記被検体を撮像する際の撮像条件に含まれる撮像パラメータのパラメータ値を調整する調整部と、
を備えたことを特徴とする磁気共鳴イメージング装置。
【請求項２】
前記受付部は、前記被検体の撮像部位をさらに受け付け、
前記調整部は、前記受付部によって受け付けられた息止め可能時間と撮像部位との組み合わせに応じて、前記パラメータ値を調整する
ことを特徴とする請求項１に記載の磁気共鳴イメージング装置。
【請求項３】
前記受付部は、前記被検体の体軸方向の撮像領域の大きさをさらに受け付け、
前記調整部は、前記受付部によって受け付けられた息止め可能時間、撮像部位、及び体軸方向の撮像領域の大きさの組み合わせに応じて、前記パラメータ値を調整する
ことを特徴とする請求項２に記載の磁気共鳴イメージング装置。
【請求項４】
複数の異なる息止め可能時間それぞれに応じて設定された撮像パラメータのパラメータ値を各息止め可能時間に対応付けた設定情報を記憶する記憶部をさらに備え、
前記調整部は、前記記憶部によって記憶されている設定情報を参照して、前記受付部によって受け付けられた息止め可能時間に対応するパラメータ値を取得し、取得したパラメータ値を用いて、前記撮像条件に含まれる撮像パラメータのパラメータ値を調整することを特徴とする請求項１、２又は３に記載の磁気共鳴イメージング装置。
【請求項５】
前記調整部は、息止め可能時間と撮像パラメータのパラメータ値との相関関係に基づいて、前記受付部によって受け付けられた息止め可能時間から撮像パラメータのパラメータ値を算出し、算出したパラメータ値を用いて、前記撮像条件に含まれる撮像パラメータのパラメータ値を調整することを特徴とする請求項１、２又は３に記載の磁気共鳴イメージング装置。
【請求項６】
被検体の息止めを伴う撮像の実行タイミングを示すタイムチャートを表示部に表示させる表示制御部をさらに備え、
前記表示制御部は、前記調整部による前記パラメータ値の調整に応じて、前記タイムチャートの表示を変化させることを特徴とする請求項１〜５のいずれか一つに記載の磁気共鳴イメージング装置。
【請求項７】
前記記憶部は、前記設定情報に対する編集を受け付け可能な外部ファイルとして前記設定情報を記憶することを特徴とする請求項１〜６のいずれか一つに記載の磁気共鳴イメージング装置。
【発明の詳細な説明】
【技術分野】
【０００１】
本発明の実施形態は、磁気共鳴イメージング装置に関する。
【背景技術】
【０００２】
従来、磁気共鳴イメージング装置に関する技術として、臨床目的ごとに撮像条件をプリセットしたプロトコルを保存し、目的に応じて適切なプロトコルを読み込んで、被検体の撮像を行う技術がある。このような技術では、プリセットされる撮像条件は限定的であるため、操作者によって被検体の状況に応じて適切に調整される。その結果、操作者の知識や技量によって、撮像される画像の画質に差が生じることがある。
【先行技術文献】
【特許文献】
【０００３】
【特許文献１】特開２００８−００１６３２号公報
【発明の概要】
【発明が解決しようとする課題】
【０００４】
本発明が解決しようとする課題は、操作者の特別な知識によらずに撮像条件を適切に設定することができる磁気共鳴イメージング装置を提供することである。
【課題を解決するための手段】
【０００５】
実施形態に係る磁気共鳴イメージング（Magnetic  Resonance  Imaging：ＭＲＩ）装置は、受付部と、調整部とを備える。受付部は、被検体の息止め可能時間を受け付ける。調整部は、前記受付部によって受け付けられた息止め可能時間に応じて、前記被検体を撮像する際の撮像条件に含まれる撮像パラメータのパラメータ値を調整する。
【図面の簡単な説明】
【０００６】
【図１】図１は、第１の実施形態に係るＭＲＩ装置の構成を示す図である。
【図２】図２は、第１の実施形態に係るＭＲＩ装置の詳細な構成を示すブロック図である。
【図３】図３は、第１の実施形態に係る息止め設定情報の一例を示す図である。
【図４】図４は、第１の実施形態に係る撮像条件編集画面の一例を示す図である。
【図５】図５は、第１の実施形態に係るパラメータ調整部によるパラメータ値の調整を説明するための図（１）である。
【図６】図６は、第１の実施形態に係るパラメータ調整部によるパラメータ値の調整を説明するための図（２）である。
【図７】図７は、第１の実施形態に係るパラメータ調整部によるパラメータ値の調整を説明するための図（３）である。
【図８】図８は、第１の実施形態に係るＭＲＩ装置の動作を示すフローチャートである。
【図９】図９は、第２の実施形態に係る息止め設定情報の一例を示す図である。
【図１０】図１０は、第２の実施形態に係る撮像条件編集画面の一例を示す図（１）である。
【図１１】図１１は、第２の実施形態に係る撮像条件編集画面の一例を示す図（２）である。
【図１２】図１２は、第２の実施形態に係る撮像条件編集画面の一例を示す図（３）である。
【図１３】図１３は、第２の実施形態に係る撮像条件編集画面の一例を示す図（４）である。
【図１４】図１４は、第２の実施形態に係る撮像条件編集画面の一例を示す図（５）である。
【図１５】図１５は、第２の実施形態に係るタイムチャート表示制御部２６ｂによるタイムチャートの表示を説明するための図（１）である。
【図１６】図１６は、第２の実施形態に係るタイムチャート表示制御部２６ｂによるタイムチャートの表示を説明するための図（２）である。
【図１７】図１７は、第２の実施形態に係るタイムチャート表示制御部２６ｂによるタイムチャートの表示を説明するための図（３）である。
【発明を実施するための形態】
【０００７】
（第１の実施形態）
図１は、第１の実施形態に係るＭＲＩ装置の構成を示す図である。図１に示すように、第１の実施形態に係るＭＲＩ装置１００は、静磁場磁石１、傾斜磁場コイル２、傾斜磁場電源３、寝台４、寝台制御部５、送信ＲＦコイル６、送信部７、受信ＲＦコイル８、受信部９、シーケンス制御部１０、及び計算機システム２０を備える。
【０００８】
静磁場磁石１は、中空の円筒形状に形成された磁石であり、内部の空間に一様な静磁場を発生する。この静磁場磁石１としては、例えば永久磁石、超伝導磁石等が使用される。
【０００９】
傾斜磁場コイル２は、中空の円筒形状に形成されたコイルであり、静磁場磁石１の内側に配置される。この傾斜磁場コイル２は、互いに直交するＸ，Ｙ，Ｚの各軸に対応する３つのコイルが組み合わされて形成されており、これら３つのコイルは、後述する傾斜磁場電源３から個別に電流供給を受けて、Ｘ，Ｙ，Ｚの各軸に沿って磁場強度が変化する傾斜磁場を発生させる。なお、Ｚ軸方向は、静磁場と同方向とする。傾斜磁場電源３は、傾斜磁場コイル２に電流を供給する。
【００１０】
ここで、傾斜磁場コイル２によって発生するＸ，Ｙ，Ｚ各軸の傾斜磁場は、例えば、スライス選択用傾斜磁場Ｇｓｓ、位相エンコード用傾斜磁場Ｇｐｅ及びリードアウト用傾斜磁場Ｇｒｏにそれぞれ対応する。スライス選択用傾斜磁場Ｇｓｓは、任意に撮像断面を決めるために利用される。位相エンコード用傾斜磁場Ｇｐｅは、空間的位置に応じて磁気共鳴信号の位相を変化させるために利用される。リードアウト用傾斜磁場Ｇｒｏは、空間的位置に応じて磁気共鳴信号の周波数を変化させるために利用される。
【００１１】
寝台４は、被検体Ｐが載置される天板４ａを備え、後述する寝台制御部５による制御のもと、被検体Ｐが載置された状態で天板４ａを傾斜磁場コイル２の空洞（撮像口）内へ挿入する。通常、この寝台４は、長手方向が静磁場磁石１の中心軸と平行になるように設置される。寝台制御部５は、制御部２６による制御のもと、寝台４を制御する装置であり、寝台４を駆動して、天板４ａを長手方向及び上下方向へ移動する。
【００１２】
送信ＲＦコイル６は、傾斜磁場コイル２の内側に配置され、送信部７から供給される高周波パルス電流によりＲＦ（Radio  Frequency）パルス（高周波磁場パルス）を発生する。送信部７は、ラーモア周波数に対応する高周波パルス電流を送信ＲＦコイル６に供給する。受信ＲＦコイル８は、傾斜磁場コイル２の内側に配置され、上記のＲＦパルスの影響によって被検体Ｐから放射される磁気共鳴信号を受信する。この受信ＲＦコイル８は、磁気共鳴信号を受信すると、その磁気共鳴信号を受信部９へ出力する。
【００１３】
受信部９は、受信ＲＦコイル８から出力される磁気共鳴信号に基づいて磁気共鳴（Magnetic  Resonance：ＭＲ）信号データを生成する。この受信部９は、受信ＲＦコイル８から出力される磁気共鳴信号をデジタル変換することによってＭＲ信号データを生成する。このＭＲ信号データには、前述したスライス選択用傾斜磁場Ｇｓｓ、位相エンコード用傾斜磁場Ｇｐｅ及びリードアウト用傾斜磁場Ｇｒｏによって、位相エンコード方向、リードアウト方向、スライスエンコード方向の空間周波数の情報が対応付けられてｋ空間に配置される。そして、ＭＲ信号データを生成すると、受信部９は、そのＭＲ信号データをシーケンス制御部１０へ送信する。
【００１４】
シーケンス制御部１０は、計算機システム２０から送信されるシーケンス実行データに基づいて、傾斜磁場電源３、送信部７及び受信部９を駆動することによって、被検体Ｐのスキャンを実行する。ここでいうシーケンス実行データとは、傾斜磁場電源３が傾斜磁場コイル２に供給する電源の強さや電源を供給するタイミング、送信部７が送信ＲＦコイル６に送信するＲＦ信号の強さやＲＦ信号を送信するタイミング、受信部９が磁気共鳴信号を検出するタイミングなど、被検体Ｐのスキャンを実行するための手順を示すパルスシーケンスを定義した情報である。なお、シーケンス制御部１０は、シーケンス実行データに基づいて傾斜磁場電源３、送信部７及び受信部９を駆動した後に、受信部９からＭＲ信号データが送信されると、そのＭＲ信号データを計算機システム２０へ転送する。
【００１５】
計算機システム２０は、ＭＲＩ装置１００の全体制御を行う。例えば、計算機システム２０は、ＭＲＩ装置１００が有する各部を駆動することで、被検体Ｐのスキャンや画像再構成などを行う。この計算機システム２０は、インタフェース部２１、画像再構成部２２、記憶部２３、入力部２４、表示部２５及び制御部２６を有する。
【００１６】
インタフェース部２１は、シーケンス制御部１０との間で授受される各種信号の入出力を制御する。例えば、このインタフェース部２１は、シーケンス制御部１０に対してシーケンス実行データを送信し、シーケンス制御部１０からＭＲ信号データを受信する。ＭＲ信号データを受信すると、インタフェース部２１は、各ＭＲ信号データを被検体Ｐごとに記憶部２３に格納する。
【００１７】
画像再構成部２２は、記憶部２３によって記憶されたＭＲ信号データに対して、後処理、すなわちフーリエ変換等の再構成処理を施すことによって、被検体Ｐ内における所望核スピンのスペクトラムデータあるいは画像データを生成する。
【００１８】
記憶部２３は、後述する制御部２６によって実行される処理に必要な各種データや各種プログラムなどを記憶する。例えば、記憶部２３は、インタフェース部２１によって受信されたＭＲ信号データや、画像再構成部２２によって生成されたスペクトラムデータや画像データなどを、被検体Ｐごとに記憶する。この記憶部２３は、例えば、ＲＡＭ（Random  Access  Memory）、ＲＯＭ（Read  Only  Memory）、フラッシュメモリ（flash  memory）などの半導体メモリ素子や、ハードディスク、光ディスクなどの記憶装置である。
【００１９】
入力部２４は、操作者からの各種指示や情報入力を受け付ける。この入力部２４としては、マウスやトラックボールなどのポインティングデバイス、モード切替スイッチ等の選択デバイス、あるいはキーボード等の入力デバイスを適宜に利用可能である。
【００２０】
表示部２５は、制御部２６による制御のもと、スペクトラムデータあるいは画像データ等の各種の情報を表示する。この表示部２５としては、液晶表示器などの表示デバイスを利用可能である。
【００２１】
制御部２６は、図示していないＣＰＵ（Central  Processing  Unit）やメモリ等を有し、ＭＲＩ装置１００の全体制御を行う。この制御部２６は、例えば、入力部２４を介して操作者から入力される撮像条件に基づいて各種のシーケンス実行データを生成し、生成したシーケンス実行データをシーケンス制御部１０に送信することによってスキャンを制御する。また、制御部２６は、スキャンの結果としてシーケンス制御部１０からＭＲ信号データが送られた場合に、そのＭＲ信号データに基づいて画像を再構成するよう画像再構成部２２を制御する。
【００２２】
以上、第１の実施形態に係るＭＲＩ装置１００の構成について説明した。このような構成のもと、ＭＲＩ装置１００は、被検体の息止め可能時間を受け付け、受け付けた息止め可能時間に応じて、被検体を撮像する際の撮像条件に含まれる撮像パラメータ値を調整する。
【００２３】
従来、磁気共鳴イメージング装置に関する技術として、臨床目的ごとに撮像条件をプリセットしたプロトコルを保存し、目的に応じて適切なプロトコルを読み込んで、被検体の撮像を行う技術がある。このような技術では、プリセットされる撮像条件は限定的であるため、操作者によって被検体の状況に応じて適切に調整される。例えば、被検体の息止めを伴う撮像では、患者によって息止め可能な時間が異なる。特に高齢者の場合には、息止め可能時間は短くなる。このような場合には、息止め可能な時間に適合するように、プリセットされた撮像条件が調整される。
【００２４】
ここで、一般的に、撮像にかかる時間を短くするためには、ＴＲ（repetition  time：繰り返し時間）やエンコード数を小さくする必要があるが、ＴＲやエンコード数は、それぞれＳＮＲ（Signal  to  Noise  Ratio）や解像度とトレードオフの関係にある。操作者は、このようなＭＲＩに関する知識に基づいて、撮像条件を適切に調整する。このため、上述した従来技術では、操作者の知識や技量によって、撮像される画像の画質に差が生じることがある。
【００２５】
これに対し、本実施形態に係るＭＲＩ装置１００によれば、操作者は、息止め可能時間というわかり易い指標に従って、撮像パラメータを調整することが可能になる。これにより、操作者の特別な知識によらずに撮像条件を適切に設定することができるようになる。また、この結果として、操作者に依存しない一定した画質の画像が得られるようになる。以下、本実施形態に係るＭＲＩ装置１００について詳細に説明する。
【００２６】
図２は、第１の実施形態に係るＭＲＩ装置の詳細な構成を示すブロック図である。図２は、図１に示した計算機システム２０が有する各部のうち、インタフェース部２１、記憶部２３、入力部２４、表示部２５、制御部２６を示している。
【００２７】
図２に示すように、記憶部２３は、プリセット情報記憶部２３ａと、画面定義記憶部２３ｂと、息止め設定情報記憶部２３ｃと、撮像条件記憶部２３ｄとを有する。
【００２８】
プリセット情報記憶部２３ａは、撮像目的及び撮像法ごとに複数の撮像パラメータのパラメータ値をプロトコルとしてプリセットしたプリセット情報を記憶する。なお、ここでいう撮像目的は、例えば、「高コントラスト」や「高解像度」などである。また、撮像法は、「ＦＡＳＥ（Fast Advanced Spin Echo）」や「ＦＳＥ（Fast  Spin  Echo）」、「ＦＥ（Field  Echo）」、「ＳＥ（Spin  Echo）」などである。また、撮像パラメータは、例えば、ＴＲ、ＴＥ（echo  time：エコー時間）、撮像領域（Field  Of  View：ＦＯＶ）の大きさ、スライス厚、スライス枚数、マトリクス、ＳＰＥＥＤＥＲ比率などである。
【００２９】
画面定義記憶部２３ｂは、撮像条件を設定するための撮像条件編集画面の形式を定義した画面定義情報を記憶する。例えば、画面定義情報は、撮像条件編集画面となるＧＵＩ（Graphical  User  Interface）を構成するラベルやテキストボックス、ボタンなどの構成要素の配置、ボタン上に表示される文字、各構成要素と撮像パラメータとの関係などを定義した情報である。なお、画面定義記憶部２３ｂは、画面定義情報に対する編集を受付可能な外部ファイルとして、画面定義情報を記憶する。
【００３０】
息止め設定情報記憶部２３ｃは、複数の異なる息止め可能時間それぞれに応じて設定された撮像パラメータのパラメータ値を各息止め可能時間に対応付けた息止め設定情報を記憶する。ここで、息止め設定情報記憶部２３ｃは、息止め設定情報をプロトコルごとに記憶する。なお、本実施形態では、息止め設定情報記憶部２３ｃは、息止め設定情報に対する編集を受け付け可能な外部ファイルとして、息止め設定情報を記憶する。
【００３１】
図３は、第１の実施形態に係る息止め設定情報の一例を示す図である。図３に示すように、例えば、息止め設定情報は、息止め可能時間（秒）と、スライス厚（ｍ）と、スライス枚数と、ＰＥ（Phase  Encode）マトリクスと、ＲＯ（Read  Out）マトリクスと、ＳＰＥＥＤＥＲ比率とを対応付けた情報である。なお、ここでいうＰＥマトリクスは、位相エンコード方向のマトリクス数であり、ＲＯマトリクスは、リードアウト方向のマトリクス数である。
【００３２】
図３に示すように、例えば、息止め可能時間には、「２０（秒）」、「１５（秒）」、１０（秒）」、「７（秒）」の４つの時間を設定する。ここで、例えば、息止め設定情報には、息止め可能時間が長くなるほど、スライス厚が小さくなり、スライス枚数が多くなるように設定する。これは、１回の息止めで同じ大きさのボリュームのデータを収集する場合に、息止め可能時間が長くなるほど、エンコード数を増やすことができるため、１回の息止めで収集可能なスライス枚数が増加し、１スライスのスライス厚が薄くなるからである。例えば、図３に示すように、息止め可能時間「２０（秒）」には、スライス厚「０．００３（ｍ）」及びスライス枚数「６０」を対応付け、息止め可能時間「１５（秒）」には、スライス厚「０．００４（ｍ）」及びスライス枚数「４５」を対応付け、息止め可能時間「１０（秒）」には、スライス厚「０．００５（ｍ）」及びスライス枚数「３６」を対応付け、息止め可能時間「７（秒）」には、スライス厚「０．００７（ｍ）」及びスライス枚数「２５」を対応付ける。
【００３３】
このように、息止め設定情報には、各撮像パラメータの相関関係やＳＮＲや解像度などとのトレードオフを考慮して、それぞれのパラメータ値を設定しておく。なお、ここでは、息止め可能時間と、スライス厚と、スライス枚数と、ＰＥマトリクスと、ＲＯマトリクスと、ＳＰＥＥＤＥＲ比率とを息止め設定情報に設定した場合について説明したが、息止め設定情報の例はこれに限られない。例えば、これらの撮像パラメータの他に、ＴＲやＴＥなどが設定されてもよい。
【００３４】
図２にもどって、撮像条件記憶部２３ｄは、被検体が撮像される際の撮像条件を記憶する。この撮像条件記憶部２３ｄには、撮像条件として、プリセット情報記憶部２３ａによって記憶されたプリセット情報に基づいて設定された撮像パラメータを息止め可能時間に応じて調整した結果が保存される。
【００３５】
また、図２に示すように、制御部２６は、入力受付部２６ａと、タイムチャート表示制御部２６ｂと、パラメータ調整部２６ｃと、撮像実行制御部２６ｄと、画面定義編集部２６ｅと、息止め設定情報編集部２６ｆとを有する。
【００３６】
入力受付部２６ａは、入力部２４を介して、操作者によって入力された各種指示や各種情報を受け付け、受け付けた各種指示や各種操作に応じた処理を行う。例えば、入力受付部２６ａは、撮像条件編集画面の表示要求や、プロトコルの選択、撮像の開始指示などを受け付ける。また、入力受付部２６ａは、撮像条件編集画面を介して、各種撮像パラメータに関するパラメータ値を受け付ける。また、入力受付部２６ａは、撮像条件編集画面を介して、被検体の息止め可能時間を受け付ける。
【００３７】
例えば、操作者から撮像条件編集画面の表示要求を受け付けた場合には、入力受付部２６ａは、画面定義記憶部２３ｂによって記憶されている画面定義情報を読み出し、読み出した画面定義情報に基づいて、表示部２５に撮像条件編集画面を出力する。
【００３８】
図４は、第１の実施形態に係る撮像条件編集画面の一例を示す図である。例えば、入力受付部２６ａは、図４に示す撮像条件編集画面を表示部２５に出力する。図４に示すように、例えば、撮像条件編集画面には、ＴＲを入力するためのボックス３１ａと、スライス枚数を入力するためのボックス３１ｂと、スライス厚を入力するためのボックス３１ｃと、ＰＥマトリクスを入力するためのボックス３１ｄと、ＲＯマトリクスを入力するためのボックス３１ｅと、撮像領域の位相エンコード方向の大きさを入力するためのボックス３１ｆと、撮像領域のリードアウト方向の大きさを入力するためのボックス３１ｇと、ＳＰＥＥＤＥＲ比率を入力するためのボックス３１ｈとが配置される。
【００３９】
さらに、撮像条件編集画面には、撮像の種類を選択するためのボタン３２ａ、３２ｂ、３２ｃ、３２ｄ及び３２ｅが配置される。ここで、ボタン３２ａは、造影剤Ａを用いたダイナミック撮像を選択するためのボタンであり、ボタン３２ｂは、造影剤Ｂを用いたダイナミック撮像を選択するためのボタンである。また、ボタン３２ｃは、副腎のダイナミック撮像を選択するためのボタンであり、ボタン３２ｄは、腎臓のダイナミック撮像を選択するためのボタンである。また、ボタン３２ｅは、撮像対象の部位に関するＴＤＣ（Time  Density  Curve）を得るための撮像を選択するためのボタンである。
【００４０】
さらに、撮像条件編集画面には、選択された撮像の種類に関するタイムチャート３０ｈを表示するためのタイムチャート領域３３が配置される。例えば、息止めを伴う撮像が選択された場合は、タイムチャート領域３３には、矩形状のグラフィック３３ａ、３３ｂ及び３３ｃを時系列に順番に並べた３つのグラフィックの組を撮像の数だけ配置したタイムチャートが表示される。ここで、グラフィック３３ａは、被検体に息を吸って、吐いて、止めることを指示するタイミング及び期間を示す。また、グラフィック３３ｂは、撮像が実行されるタイミング及び期間を示す。また、グラフィック３３ｃは、被検体にリラックスすることを指示するタイミング及び期間を示す。
【００４１】
さらに、撮像条件編集画面には、息止め可能時間を選択するためのボタン３４ａ、３４ｂ、３４ｃ及び３４ｄが配置される。ここで、ボタン３４ａは、息止め可能時間として２０秒を選択するためのボタンであり、ボタン３４ｂは、息止め可能時間として１５秒を選択するためのボタンである。また、ボタン３４ｃは、息止め可能時間として１０秒を選択するためのボタンであり、ボタン３４ｄは、息止め可能時間として７秒を選択するためのボタンである。なお、各ボタン上には、息止め設定情報記憶部２３ｃに記憶されている設定情報において、各息止め可能時間に対応付けられている撮像パラメータのパラメータ値が表示されている。
【００４２】
また、例えば、撮像条件編集画面を表示部２５に出力した後に、操作者からプロトコルの選択を受け付けた場合には、入力受付部２６ａは、プリセット情報記憶部２３ａを参照して、選択されたプロトコルに対応するプリセット情報を読み出す。そして、入力受付部２６ａは、読み出したプリセット情報に設定されている各撮像パラメータのパラメータ値を撮像条件編集画面上に表示させる。図４に示す例では、入力受付部２６ａは、撮像条件編集画面上にあるボックス３１ａにＴＲの値を、ボックス３１ｂにスライス枚数の値を、ボックス３１ｃにスライス厚の値を、ボックス３１ｄにＰＥマトリクスの値を、ボックス３１ｅにＲＯマトリクスの値を、ボックス３１ｆに撮像領域の位相エンコード方向の大きさを、ボックス３１ｇに撮像領域のリードアウト方向の大きさを、ボックス３１ｈにＳＰＥＥＤＥＲ比率の値を、それぞれ表示させる。その後、入力受付部２６ａは、後述するタイムチャート表示制御部２６ｂに対して、タイムチャートの表示を指示する。これにより、撮像条件編集画面上に表示されている各撮像パラメータのパラメータ値に応じたタイムチャートが、タイムチャート領域３３に表示される。
【００４３】
また、例えば、撮像条件編集画面上でボタン３２ａ〜３２ｅのいずれかを押す操作が操作者によって行われた場合には、入力受付部２６ａは、後述するタイムチャート表示制御部２６ｂに対して、タイムチャートの表示を指示する。これにより、撮像条件編集画面上に表示されている各撮像パラメータのパラメータ値に応じて、タイムチャート領域３３におけるタイムチャートの表示が更新される。
【００４４】
また、例えば、撮像条件編集画面上でボタン３４ａ〜３４ｄのいずれかを押す操作が操作者によって行われた場合には、入力受付部２６ａは、後述するパラメータ調整部２６ｃに対して、パラメータ値の調整を指示する。これにより、撮像条件編集画面上に表示されている各撮像パラメータのパラメータ値が、操作者によって選択された息止め可能時間に応じて調整される。その後、入力受付部２６ａは、後述するタイムチャート表示制御部２６ｂに対して、タイムチャートの表示を指示する。これにより、調整後の各撮像パラメータのパラメータ値に応じて、タイムチャート領域３３におけるタイムチャートの表示が更新される。
【００４５】
また、例えば、操作者から撮像条件を確定する指示を受け付けた場合には、入力受付部２６ａは、指示を受け付けた時点で撮像条件編集画面に表示されている各撮像パラメータのパラメータ値を撮像条件記憶部２３ｄに保存する。
【００４６】
また、例えば、操作者から撮像を開始する指示を受け付けた場合には、入力受付部２６ａは、撮像実行制御部２６ｄに対して、撮像の開始を指示する。
【００４７】
図２にもどって、タイムチャート表示制御部２６ｂは、被検体の息止めを伴う撮像の実行タイミングを示すタイムチャートを表示部２５に表示させる。また、タイムチャート表示制御部２６ｂは、パラメータ調整部２６ｃによるパラメータ値の調整に応じて、タイムチャートの表示を変化させる。
【００４８】
具体的には、タイムチャート表示制御部２６ｂは、入力受付部２６ａからタイムチャートの表示を指示された場合に、指示された時点で撮像条件編集画面上に表示されている各パラメータ値を用いて、被検体に呼吸を指示するタイミング及び期間、撮像が実行されるタイミング及び期間、被検体にリラックスすることを指示するタイミング及び期間を算出する。そして、タイムチャート表示制御部２６ｂは、算出した各タイミング及び各期間に基づいて、タイムチャートを示すグラフィック３３ａ、３３ｂ及び３３ｃをタイムチャート領域３３に表示させる。これにより、入力受付部２６ａからタイムチャートの表示が指示されるごとに、撮像条件編集画面上に表示されている各パラメータ値に応じて、タイムチャートの表示が変化することになる。
【００４９】
パラメータ調整部２６ｃは、入力受付部２６ａによって受け付けられた息止め可能時間に応じて、被検体を撮像する際の撮像条件に含まれる撮像パラメータのパラメータ値を調整する。
【００５０】
具体的には、パラメータ調整部２６ｃは、入力受付部２６ａからパラメータ値の調整を指示された場合に、息止め設定情報記憶部２３ｃによって記憶されている息止め設定情報のうち、操作者によって選択されたプロトコルに関する息止め設定情報を参照して、入力受付部２６ａによって受け付けられた息止め可能時間に対応するパラメータ値を取得する。そして、パラメータ調整部２６ｃは、取得したパラメータ値を用いて、撮像条件に含まれる撮像パラメータのパラメータ値を調整する。
【００５１】
図５〜７は、第１の実施形態に係るパラメータ調整部２６ｃによるパラメータ値の調整を説明するための図である。なお、ここでは、図３に示した息止め設定情報が息止め設定情報記憶部２３ｃに記憶されている場合を例にあげて説明する。
【００５２】
例えば、図５に示すように、操作者によってボタン３４ｂが押された場合には、パラメータ調整部２６ｃは、息止め設定情報記憶部２３ｃに記憶されている息止め設定情報を参照して、息止め可能時間「１５（秒）」に対応するスライス厚「０．００４（ｍ）」、スライス枚数「４５」、ＰＥマトリクス「１７０」、ＲＯマトリクス「３２０」、ＳＰＥＥＤＥＲ比率「２．５」を取得し、それぞれのパラメータ値を撮像条件編集画面上の対応するボックスに表示させる。
【００５３】
また、例えば、図６に示すように、操作者によってボタン３４ｃが押された場合には、パラメータ調整部２６ｃは、息止め設定情報記憶部２３ｃに記憶されている息止め設定情報を参照して、息止め可能時間「１０（秒）」に対応するスライス厚「０．００５（ｍ）」、スライス枚数「３６」、ＰＥマトリクス「１４０」、ＲＯマトリクス「３２０」、ＳＰＥＥＤＥＲ比率「２．５」を取得し、それぞれのパラメータ値を撮像条件編集画面上の対応するボックスに表示させる。
【００５４】
また、例えば、図７に示すように、操作者によってボタン３４ｄが押された場合には、パラメータ調整部２６ｃは、息止め設定情報記憶部２３ｃに記憶されている息止め設定情報を参照して、息止め可能時間「７（秒）」に対応するスライス厚「０．００７（ｍ）」、スライス枚数「２５」、ＰＥマトリクス「１４０」、ＲＯマトリクス「３２０」、ＳＰＥＥＤＥＲ比率「２．５」を取得し、それぞれのパラメータ値を撮像条件編集画面上の対応するボックスに表示させる。
【００５５】
なお、前述したように、操作者によってボタン３４ａ、３４ｂ、３４ｃ及び３４ｄのいずれかが押された場合には、入力受付部２６ａからパラメータ調整部２６ｃにパラメータ値の調整が指示されるとともに、タイムチャート表示制御部２６ｂにもタイムチャートの表示が指示される。この結果、図５〜７に示すように、パラメータ調整部２６ｃによって各撮像パラメータのパラメータ値が調整されるごとに、調整後の各撮像パラメータのパラメータ値に応じて、タイムチャート領域３３におけるタイムチャートの表示が更新されることになる。
【００５６】
また、本実施形態では、パラメータ調整部２６ｃが、息止め設定情報記憶部２３ｃによって記憶された息止め設定情報に基づいてパラメータ値を調整する場合の例について説明したが、実施形態はこれに限られない。例えば、パラメータ調整部２６ｃは、息止め可能時間と撮像パラメータのパラメータ値との相関関係に基づいて、入力受付部２６ａによって受け付けられた息止め可能時間から撮像パラメータのパラメータ値を算出し、算出したパラメータ値を用いて、撮像条件に含まれる撮像パラメータのパラメータ値を調整してもよい。その場合には、例えば、パラメータ調整部２６ｃは、各撮像パラメータについて、撮像パラメータのパラメータ値と息止め可能時間との相関関係を表す計算式を定義しておき、定義された計算式を用いて、操作者によって選択された息止め可能時間から各撮像パラメータのパラメータ値を算出する。
【００５７】
図２にもどって、撮像実行制御部２６ｄは、操作者からの指示に応じて、撮像を制御する。具体的には、撮像実行制御部２６ｄは、入力受付部２６ａから撮像の開始を指示された場合に、撮像条件記憶部２３ｄに記憶されている撮像条件に基づいてシーケンス情報を生成し、シーケンス制御部１０に対して送信する。このシーケンス情報は、インタフェース部２１を介してシーケンス制御部１０に送信される。これにより、シーケンス制御部１０によって被検体のスキャンが実行される。
【００５８】
画面定義編集部２６ｅは、操作者からの指示に応じて、画面定義記憶部２３ｂによって記憶されている画面定義情報を編集する。具体的には、画面定義編集部２６ｅは、入力部２４を介して、撮像条件編集画面に表示させるラベルやテキストボックス、ボタンなどの構成要素の配置、ボタン上に表示される文字、各構成要素と撮像パラメータとの関係などを登録、変更又は削除する操作を操作者から受け付ける。そして、画面定義編集部２６ｅは、操作者から受け付けた操作に応じて、画面定義記憶部２３ｂによって記憶されている画面定義情報の内容を更新する。ここで、前述したように、画面定義情報は外部ファイルとして記憶されているので、操作者は、画面定義編集部２６ｅによって画面定義情報を適宜に更新することで、撮像条件編集画面を生成するためのプログラムを改変することなく、撮像条件編集画面のレイアウトを変更することができる。
【００５９】
息止め設定情報編集部２６ｆは、操作者からの指示に応じて、息止め設定情報記憶部２３ｃによって記憶されている息止め設定情報を編集する。具体的には、息止め設定情報編集部２６ｆは、入力部２４を介して、息止め設定情報を登録、変更又は削除する操作を操作者から受け付ける。そして、息止め設定情報編集部２６ｆは、操作者から受け付けた操作に応じて、息止め設定情報記憶部２３ｃによって記憶されている息止め設定情報の内容を更新する。ここで、前述したように、息止め設定情報は外部ファイルとして記憶されているので、操作者は、息止め設定情報編集部２６ｆによって息止め設定情報を適宜に更新することで、息止め時間の変更や、息止め時間に対応する撮像パラメータのパラメータ値を容易に変更することができる。
【００６０】
次に、第１の実施形態に係るＭＲＩ装置１００の動作について説明する。図８は、第１の実施形態に係るＭＲＩ装置１００の動作を示すフローチャートである。図８に示すように、本実施例に係るＭＲＩ装置１００では、まず、入力受付部２６ａが、操作者から撮像条件編集画面の表示要求を受け付けた場合に、表示部２５に撮像条件編集画面を表示させる（ステップＳ１０１）。
【００６１】
その後、操作者によってプロトコルが選択された場合には（ステップＳ１０２，Ｙｅｓ）、入力受付部２６ａが、プリセット情報記憶部２３ａを参照して、選択されたプロトコルに対応するプリセット情報を取得する（ステップＳ１０３）。そして、入力受付部２６ａは、読み出したプリセット情報に設定されている各撮像パラメータのパラメータ値を撮像条件編集画面上に表示させる（ステップＳ１０４）。
【００６２】
その後、操作者によって撮像条件編集画面上でボタン３２ａ〜３２ｅのいずれかが押されることで、入力受付部２６ａが撮像の種類を受け付けた場合には（ステップＳ１０５，Ｙｅｓ）、タイムチャート表示制御部２６ｂが、操作者によって選択された撮像の種類に対応するタイムチャートを撮像条件編集画面上のタイムチャート領域３３に表示させる（ステップＳ１０６）。
【００６３】
その後、操作者によって撮像条件編集画面上でボタン３４ａ〜３４ｄのいずれかが押されることで、入力受付部２６ａが息止め可能時間を受け付けた場合には（ステップＳ１０７，Ｙｅｓ）、パラメータ調整部２６ｃが、息止め設定情報記憶部２３ｃを参照して、操作者によって選択された息止め可能時間に対応する息止め設定情報を取得する（ステップＳ１０８）。そして、パラメータ調整部２６ｃは、取得した息止め設定情報に基づいて、被検体を撮像する際の撮像条件に含まれる撮像パラメータのパラメータ値を調整する（ステップＳ１０９）。
【００６４】
その後、操作者から撮像条件を確定する指示を受け付けた場合には（ステップＳ１１０，Ｙｅｓ）、入力受付部２６ａは、指示を受け付けた時点で撮像条件編集画面に表示されている各撮像パラメータのパラメータ値を撮像条件記憶部２３ｄに保存する（ステップＳ１１１）。そして、操作者から撮像を開始する指示を入力受付部２６ａが受け付けた場合には、撮像実行制御部２６ｄが、撮像条件記憶部２３ｄに保存されている撮像条件に基づいて、撮像を実施する（ステップＳ１１２）。
【００６５】
上述したように、第１の実施形態に係るＭＲＩ装置１００によれば、操作者は、息止め可能時間というわかり易い指標に従って、撮像パラメータを調整することが可能になる。これにより、操作者の特別な知識によらずに撮像条件を適切に設定することができるようになる。また、この結果として、操作者に依存しない一定した画質の画像が得られるようになる。
【００６６】
（第２の実施形態）
次に、第２の実施形態について説明する。第１の実施形態では、息止め可能時間に応じて撮像パラメータのパラメータ値を設定する場合について説明したが、第２の実施形態では、息止め可能時間と撮像部位との組み合わせに応じて、撮像パラメータのパラメータ値を設定する場合について説明する。なお、第２の実施形態に係るＭＲＩ装置の構成は、基本的には、第１の実施形態に係るＭＲＩ装置１００の構成と同じであるが、息止め設定情報記憶部２３ｃによって記憶される息止め設定情報や、入力受付部２６ａ及びパラメータ調整部２６ｃによって行われる処理が主に異なる。そこで、第２の実施形態では、息止め設定情報記憶部２３ｃ、入力受付部２６ａ、パラメータ調整部２６ｃ、タイムチャート表示制御部２６ｂにおける第１の実施形態とは異なる点を中心に説明する。
【００６７】
第２の実施形態では、息止め設定情報記憶部２３ｃは、息止め設定情報として、息止め可能時間及び撮像部位ごとに撮像パラメータのパラメータ値を記憶する。
【００６８】
図９は、第２の実施形態に係る息止め設定情報の一例を示す図である。図９に示すように、第２の実施形態では、息止め設定情報記憶部２３ｃは、撮像部位と、息止め可能時間（秒）と、スライス厚（ｍ）と、スライス枚数と、ＰＥ（Phase  Encode）マトリクスと、ＲＯ（Read  Out）マトリクスと、ＳＰＥＥＤＥＲ比率とを対応付けた情報を記憶する。
【００６９】
ここで、撮像部位については、体軸方向の撮像領域の大きさでさらに分類してもよい。例えば、図９に示すように、肝臓について、体軸方向の撮像領域が２３ｃｍの場合（肝臓２３ｃｍ）と、体軸方向の撮像領域が１８ｃｍの場合（肝臓１８ｃｍ）とにさらに分類する。被検体の部位によっては、被検体の状況によって体軸方向の撮像領域の大きさが異なる場合もある。例えば、肝臓は、被検体が痩せているほど、体軸方向の大きさが大きくなることが知られている。そして、体軸方向の撮像領域の大きさは、スライス厚とスライス枚数との関係に影響を与えることが知られている。したがって、撮像部位を体軸方向の撮像領域の大きさに応じてさらに分類することで、より詳細に撮像パラメータのパラメータ値を定義することができるようになる。
【００７０】
また、第２の実施形態では、入力受付部２６ａは、被検体の撮像部位をさらに受け付ける。なお、入力受付部２６ａは、図９に示したように、被検体の体軸方向の撮像領域の大きさに応じて撮像部位をさらに分類する場合には、被検体の体軸方向の撮像領域の大きさをさらに受け付ける。図１０〜１４は、第２の実施形態に係る撮像条件編集画面の一例を示す図である。例えば、入力受付部２６ａは、図１０〜１４に示す撮像条件編集画面を表示部２５に出力する。
【００７１】
図１０〜１４に示すように、例えば、撮像条件編集画面には、ＰＥマトリクスを入力するためのボックス３１ｄと、ＲＯマトリクスを入力するためのボックス３１ｅと、スライス枚数を入力するためのボックス３１ｂと、スライス厚を入力するためのボックス３１ｃと、ＳＰＥＥＤＥＲ比率を入力するためのボックス３１ｈとが配置される。さらに、撮像条件編集画面には、選択された撮像の種類に関するタイムチャートを表示するためのタイムチャート領域３３が配置される。
【００７２】
そして、第２の実施形態では、撮像条件編集画面には、撮像部位ごとに定義された複数のタブが配置され、各タブ上には、息止め可能時間を選択するためのボタンと撮像の種類を選択するためのボタンが配置される。なお、図９に示したように、被検体の体軸方向の撮像領域の大きさに応じて撮像部位をさらに分類する場合には、被検体の体軸方向の撮像領域の大きさに応じて、撮像部位ごとにタブがさらに分けられる。操作者は、複数のタブの中からいずれかのタブを選択することで、撮像部位、又は、撮像部位及び被検体の体軸方向の撮像領域の大きさの組み合わせを選択することができる。
【００７３】
例えば、図１０に示すように、肝臓２３ｃｍに対応するタブ１３４上には、息止め可能時間を選択するためのボタン１３４ａ、１３４ｂ、１３４ｃ及び１３４ｄが配置される。ここで、ボタン１３４ａは、息止め可能時間として７秒を選択するためのボタンであり、ボタン１３４ｂは、息止め可能時間として１０秒を選択するためのボタンである。また、ボタン１３４ｃは、息止め可能時間として１５秒を選択するためのボタンであり、ボタン１３４ｄは、息止め可能時間として２０秒を選択するためのボタンである。さらに、タブ１３４上には、撮像の種類を選択するためのボタン１３４ｅ、１３４ｆ、１３４ｇ及び１３４ｅが配置される。ここで、ボタン１３４ｅは、動脈相（造影直後の時相）、門脈相、平衡相をそれぞれ１時相の３時相を撮像するSingle-arterial Phase撮像を選択するためのボタンである。また、ボタン１３４ｆは、動脈相を２時相、門脈相、平衡相をそれぞれ１時相の４時相を撮像するDual-arterial Phase撮像を選択するためのボタンである。また、ボタン１３４ｇは、等間隔の５時相におけるＴＤＣを得るための撮像を選択するためのボタンである。また、ボタン１３４ｈは、ダイナミック撮像をオフにした画像（造影前の画像）を得るPre-dynamic撮像を選択するためのボタンである。
【００７４】
また、例えば、図１１に示すように、肝臓１８ｃｍに対応するタブ１３５上には、息止め可能時間を選択するためのボタン１３５ａ、１３５ｂ、１３５ｃ及び１３５ｄが配置される。ここで、ボタン１３５ａは、息止め可能時間として７秒を選択するためのボタンであり、ボタン１３５ｂは、息止め可能時間として１０秒を選択するためのボタンである。また、ボタン１３５ｃは、息止め可能時間として１５秒を選択するためのボタンであり、ボタン１３５ｄは、息止め可能時間として２０秒を選択するためのボタンである。さらに、タブ１３５上には、撮像の種類を選択するためのボタン１３５ｅ、１３５ｆ、１３５ｇ及び１３５ｅが配置される。ここで、ボタン１３５ｅは、Single-arterial Phase撮像を選択するためのボタンであり、ボタン１３５ｆは、Dual-arterial Phase撮像を選択するためのボタンである。また、ボタン１３５ｇは、ＴＤＣを得るための撮像を選択するためのボタンであり、ボタン１３５ｈは、Pre-dynamic撮像を選択するためのボタンである。
【００７５】
また、例えば、図１２に示すように、膵臓・胆嚢に対応するタブ１３６上には、息止め可能時間を選択するためのボタン１３６ａ、１３６ｂ及び１３６ｃが配置される。ここで、ボタン１３６ａは、息止め可能時間として７秒を選択するためのボタンであり、ボタン１３６ｂは、息止め可能時間として１０秒を選択するためのボタンである。また、ボタン１３６ｃは、息止め可能時間として１５秒を選択するためのボタンである。さらに、タブ１３６上には、撮像の種類を選択するためのボタン１３６ｅ、１３６ｆ、１３６ｇ及び１３６ｅが配置される。ここで、ボタン１３６ｅは、Single-arterial Phase撮像を選択するためのボタンであり、ボタン１３６ｆは、Dual-arterial Phase撮像を選択するためのボタンである。また、ボタン１３６ｇは、ＴＤＣを得るための撮像を選択するためのボタンであり、ボタン１３６ｈは、Pre-dynamic撮像を選択するためのボタンである。
【００７６】
また、例えば、図１３に示すように、副腎に対応するタブ１３７上には、息止め可能時間を選択するためのボタン１３７ａ及び１３７ｂが配置される。ここで、ボタン１３７ａは、息止め可能時間として１０秒を選択するためのボタンであり、ボタン１３７ｂは、息止め可能時間として１５秒を選択するためのボタンである。さらに、タブ１３７上には、撮像の種類を選択するためのボタン１３７ｅ、１３７ｇ及び１３７ｈが配置される。ここで、ボタン１３７ｅは、Single-arterial Phase撮像を選択するためのボタンであり、ボタン１３７ｇは、ＴＤＣを得るための撮像を選択するためのボタンである。また、ボタン１３７ｈは、Pre-dynamic撮像を選択するためのボタンである。
【００７７】
また、例えば、図１４に示すように、腎臓に対応するタブ１３８上には、息止め可能時間を選択するためのボタン１３８ａ及び１３８ｂが配置される。ここで、ボタン１３８ａは、息止め可能時間として１０秒を選択するためのボタンであり、ボタン１３８ｂは、息止め可能時間として１５秒を選択するためのボタンである。さらに、タブ１３８上には、撮像の種類を選択するためのボタン１３８ｅ、１３８ｇ及び１３８ｈが配置される。ここで、ボタン１３８ｅは、Single-arterial Phase撮像を選択するためのボタンであり、ボタン１３８ｇは、ＴＤＣを得るための撮像を選択するためのボタンである。また、ボタン１３８ｈは、Pre-dynamic撮像を選択するためのボタンである。
【００７８】
このように、第２の実施形態では、撮像条件編集画面上で、操作者が、複数のタブのいずれかを選択し、さらに、各タブ上に配置された息止め可能時間を選択するためのボタンを選択することで、息止め可能時間と撮像部位との組み合わせを選択することができるようにしている。
【００７９】
また、第２の実施形態では、パラメータ調整部２６ｃは、入力受付部２６ａによって受け付けられた息止め可能時間と撮像部位との組み合わせに応じて、被検体を撮像する際の撮像条件に含まれる撮像パラメータのパラメータ値を調整する。なお、ここでは、図９に示した息止め設定情報が息止め設定情報記憶部２３ｃに記憶されている場合を例にあげて説明する。
【００８０】
例えば、図１１に示すように、肝臓１８ｃｍに対応するタブ１３５が表示された状態で、タブ１３５上に配置されたボタン１３５ａ、１３５ｂ、１３５ｃ及び１３５ｄのうち、ボタン１３５ａが操作者によって押されたとする。その場合には、パラメータ調整部２６ｃは、息止め設定情報記憶部２３ｃに記憶されている息止め設定情報を参照して、撮像部位「肝臓１８ｃｍ」及び息止め可能時間「７（秒）」に対応するスライス厚「０．００７（ｍ）」、スライス枚数「２５」、ＰＥマトリクス「１３２」、ＲＯマトリクス「３２０」、ＳＰＥＥＤＥＲ比率「２．４」を取得し、それぞれのパラメータ値を撮像条件編集画面上の対応するボックスに表示させる。
【００８１】
また、例えば、図１２に示すように、膵臓・胆嚢に対応するタブ１３６が表示された状態で、タブ１３６上に配置されたボタン１３６ａ、１３６ｂ及び１３６ｃのうち、ボタン１３６ａが操作者によって押されたとする。その場合には、パラメータ調整部２６ｃは、息止め設定情報記憶部２３ｃに記憶されている息止め設定情報を参照して、撮像部位「膵臓・胆嚢」及び息止め可能時間「７（秒）」に対応するスライス厚「０．００５（ｍ）」、スライス枚数「２６」、ＰＥマトリクス「１２８」、ＲＯマトリクス「３２０」、ＳＰＥＥＤＥＲ比率「２．４」を取得し、それぞれのパラメータ値を撮像条件編集画面上の対応するボックスに表示させる。
【００８２】
また、例えば、図１３に示すように、副腎に対応するタブ１３７が表示された状態で、タブ１３７上に配置されたボタン１３７ａ及び１３７ｂのうち、ボタン１３７ａが操作者によって押されたとする。その場合には、パラメータ調整部２６ｃは、息止め設定情報記憶部２３ｃに記憶されている息止め設定情報を参照して、撮像部位「副腎」及び息止め可能時間「１０（秒）」に対応するスライス厚「０．００３（ｍ）」、スライス枚数「３３」、ＰＥマトリクス「１３２」、ＲＯマトリクス「２８８」、ＳＰＥＥＤＥＲ比率「２．２」を取得し、それぞれのパラメータ値を撮像条件編集画面上の対応するボックスに表示させる。
【００８３】
また、例えば、図１４に示すように、腎臓に対応するタブ１３８が表示された状態で、タブ１３８上に配置されたボタン１３８ａ及び１３８ｂのうち、ボタン１３８ａが操作者によって押されたとする。その場合には、パラメータ調整部２６ｃは、息止め設定情報記憶部２３ｃに記憶されている息止め設定情報を参照して、撮像部位「腎臓」及び息止め可能時間「１０（秒）」に対応するスライス厚「０．００５（ｍ）」、スライス枚数「３６」、ＰＥマトリクス「１３４」、ＲＯマトリクス「３２０」、ＳＰＥＥＤＥＲ比率「２．４」を取得し、それぞれのパラメータ値を撮像条件編集画面上の対応するボックスに表示させる。
【００８４】
また、第２の実施形態では、タイムチャート表示制御部２６ｂは、入力受付部２６ａによって受け付けられた息止め可能時間と撮像部位との組み合わせに応じて、表示部２５にタイムチャートを表示させる。
【００８５】
図１５〜１７は、第２の実施形態に係るタイムチャート表示制御部２６ｂによるタイムチャートの表示を説明するための図である。なお、ここでは、肝臓１８ｃｍに対応するタブ１３５上で、撮像の種類を選択するためのボタン１３５ｅ、１３５ｆ、１３５ｇ及び１３５ｈが選択された場合を例にあげて説明する。
【００８６】
例えば、図１５に示すように、肝臓１８ｃｍに対応するタブ１３５が表示された状態で、タブ１３５上に配置されたボタン１３５ｅ、１３５ｆ、１３５ｇ及び１３５ｈのうち、ボタン１３５ｅが操作者によって押されたとする。その場合には、タイムチャート表示制御部２６ｂは、ボタン１３５ｅが押された時点で撮像条件編集画面上に表示されている各パラメータ値に基づいて、タイムチャート上の動脈相、門脈相、平衡相の３時相に対応する位置に、撮像が実行されるタイミング及び期間を示すグラフィック３３ｂを表示させる。
【００８７】
また、例えば、図１６に示すように、肝臓１８ｃｍに対応するタブ１３５が表示された状態で、タブ１３５上に配置されたボタン１３５ｅ、１３５ｆ、１３５ｇ及び１３５ｈのうち、ボタン１３５ｆが操作者によって押されたとする。その場合には、タイムチャート表示制御部２６ｂは、ボタン１３５ｆが押された時点で撮像条件編集画面上に表示されている各パラメータ値に基づいて、タイムチャート上の動脈相における２箇所、門脈相、平衡相に対応する位置に、撮像が実行されるタイミング及び期間を示すグラフィック３３ｂを表示させる。
【００８８】
また、例えば、図１７に示すように、肝臓１８ｃｍに対応するタブ１３５が表示された状態で、タブ１３５上に配置されたボタン１３５ｅ、１３５ｆ、１３５ｇ及び１３５ｈのうち、ボタン１３５ｇが操作者によって押されたとする。その場合には、タイムチャート表示制御部２６ｂは、ボタン１３５ｇが押された時点で撮像条件編集画面上に表示されている各パラメータ値に基づいて、タイムチャート上の等間隔の５時相に対応する位置に、撮像が実行されるタイミング及び期間を示すグラフィック３３ｂを表示させる。
【００８９】
このように、第２の実施形態では、操作者が、複数のタブのいずれかを選択し、さらに、各タブ上に配置された撮像の種類を選択するためのボタンを選択することで、息止め可能時間と撮像部位との組み合わせに応じて、タイムチャートの表示が変化することになる。
【００９０】
上述したように、第２の実施形態に係るＭＲＩ装置１００によれば、操作者は、息止め可能時間と撮像部位というわかり易い指標に従って、撮像パラメータを調整することが可能になる。これにより、操作者の特別な知識によらずに撮像条件を適切に設定することができるようになる。また、この結果として、操作者に依存しない一定した画質の画像が得られるようになる。
【００９１】
以上で説明した少なくとも一つの実施形態によれば、操作者の特別な知識によらずに撮像条件を適切に設定することができる。
【００９２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９３】
１００  ＭＲＩ装置（磁気共鳴イメージング装置）
２０  計算機システム
２６  制御部
２６ａ  入力受付部
２６ｃ  パラメータ調整部
【図１】
2014042565.tif 000003
【図２】
2014042565.tif 000004
【図３】
2014042565.tif 000005
【図４】
2014042565.tif 000006
【図５】
2014042565.tif 000007
【図６】
2014042565.tif 000008
【図７】
2014042565.tif 000009
【図８】
2014042565.tif 000010
【図９】
2014042565.tif 000011
【図１０】
2014042565.tif 000012
【図１１】
2014042565.tif 000013
【図１２】
2014042565.tif 000014
【図１３】
2014042565.tif 000015
【図１４】
2014042565.tif 000016
【図１５】
2014042565.tif 000017
【図１６】
2014042565.tif 000018
【図１７】
2014042565.tif 000019